(57)【要約】【課題】ドプラ検査によって取得される超音波ドプラ画像をユーザに分かり易く表示させることが可能な超音波診断装置を提供することである。【解決手段】実施形態に係る超音波診断装置は、スキャン手段、検査位置取得手段、記憶手段及び画像分類手段を備える。スキャン手段は、互いに異なる空間上の複数の位置について超音波ドプラ信号を受信し、受信した前記超音波ドプラ信号に基づいて前記複数の位置に対応する複数フレームの超音波ドプラ画像データを生成する。検査位置取得手段は、前記複数の位置を位置情報として取得する。記憶手段は、前記複数フレームの超音波ドプラ画像データに前記位置情報を付帯させて記憶する。画像分類手段は、少なくとも前記記憶手段に記憶された前記位置情報に基づいて、前記複数フレームの超音波ドプラ画像データを複数のグループに分類するための情報を生成する。【選択図】  図２
2015146938.tif 000002
【特許請求の範囲】
【請求項１】
互いに異なる空間上の複数の位置について超音波ドプラ信号を受信し、受信した前記超音波ドプラ信号に基づいて前記複数の位置に対応する複数フレームの超音波ドプラ画像データを生成するスキャン手段と、
前記複数の位置を位置情報として取得する検査位置取得手段と、
前記複数フレームの超音波ドプラ画像データに前記位置情報を付帯させて記憶する記憶手段と、
少なくとも前記記憶手段に記憶された前記位置情報に基づいて、前記複数フレームの超音波ドプラ画像データを複数のグループに分類するための情報を生成する画像分類手段と、
を備える超音波診断装置。
【請求項２】
前記画像分類手段は、前記複数フレームの超音波ドプラ画像データに関連するパラメータに基づいて、前記複数フレームの超音波ドプラ画像データの少なくとも一部を、前記複数のグループのうちの少なくとも１つのグループ内において並べるための情報を生成するように構成される請求項１記載の超音波診断装置。
【請求項３】
前記画像分類手段は、前記位置情報に加えて前記複数フレームの超音波ドプラ画像データに関連するパラメータに基づいて、前記複数フレームの超音波ドプラ画像データを複数のグループに分類するための情報を生成するように構成される請求項１又は２記載の超音波診断装置。
【請求項４】
前記画像分類手段は、前記パラメータを、前記複数フレームの超音波ドプラ画像データに対応する各血流の速度、前記複数フレームの超音波ドプラ画像データに対応する前記超音波ドプラ信号の各サンプリング時刻及び前記複数フレームの超音波ドプラ画像データに対応する各波形の特徴を表す指標値の少なくとも１つとする請求項２又は３記載の超音波診断装置。
【請求項５】
前記スキャン手段は、パルスドプラ法により走査点からのパルス波として前記超音波ドプラ信号を収集するように構成される請求項１乃至４のいずれか１項に記載の超音波診断装置。
【請求項６】
前記スキャン手段は、カラードプラ法により複数の走査点を含む走査領域からのパルス波として前記超音波ドプラ信号を収集するように構成される請求項１乃至４のいずれか１項に記載の超音波診断装置。
【請求項７】
前記スキャン手段は、連続波ドプラ法により走査線からの連続波として前記超音波ドプラ信号を収集するように構成される請求項１乃至４のいずれか１項に記載の超音波診断装置。
【請求項８】
前記画像分類手段は、前記複数フレームの超音波ドプラ画像データを、指定された数のグループに分類するための情報を生成するように構成される請求項１乃至７のいずれか１項に記載の超音波診断装置。
【請求項９】
前記検査位置取得手段は、少なくとも前記超音波プローブの位置を検出するセンサを備える請求項１乃至８のいずれか１項に記載の超音波診断装置。
【請求項１０】
前記検査位置取得手段は、前記超音波プローブの位置及び向きを検出するセンサを備え、
前記画像分類手段は、前記超音波プローブの向きに基づいてスキャン対象として求められる位置情報に基づいて前記複数フレームの超音波ドプラ画像データを複数のグループに分類するための情報を生成するように構成される請求項９記載の超音波診断装置。
【請求項１１】
前記画像分類手段は、前記超音波プローブの向きに基づいて求められる血流の向きに基づいて前記複数フレームの超音波ドプラ画像データを複数のグループに分類するための情報を生成するように構成される請求項１０記載の超音波診断装置。
【請求項１２】
互いに異なる空間上の複数の位置について同一の被検体から受信された超音波ドプラ信号に基づいて生成された前記複数の位置に対応する複数フレームの超音波ドプラ画像データを取得する画像取得手段と、
前記複数の位置を位置情報として取得する検査位置取得手段と、
前記複数フレームの超音波ドプラ画像データに前記位置情報を付帯させて記憶する記憶手段と、
少なくとも前記記憶手段に記憶された前記位置情報に基づいて、前記複数フレームの超音波ドプラ画像データを複数のグループに分類するための情報を生成する画像分類手段と、
を有する医用画像処理装置。
【請求項１３】
コンピュータを、
互いに異なる空間上の複数の位置について同一の被検体から受信された超音波ドプラ信号に基づいて生成された前記複数の位置に対応する複数フレームの超音波ドプラ画像データを取得する画像取得手段、
前記複数の位置を位置情報として取得する検査位置取得手段、
前記複数フレームの超音波ドプラ画像データに前記位置情報を付帯させて記憶する記憶手段、及び
少なくとも前記記憶手段に記憶された前記位置情報に基づいて、前記複数フレームの超音波ドプラ画像データを複数のグループに分類するための情報を生成する画像分類手段、
として機能させる医用画像処理プログラム。
【発明の詳細な説明】
【技術分野】
【０００１】
本発明の実施形態は、超音波診断装置、医用画像処理装置及び医用画像処理プログラムに関する。
【背景技術】
【０００２】
超音波診断装置を用いたパルスドプラ(PWD: pulsed wave Doppler)法における血流動態のドプラ検査では、同一の部位が異なる位置及び角度から観察される場合がある。これは、血流速度等の検査結果が、超音波プローブの位置やスキャン角度に依存して変化し、条件に依っては適切な検査結果が得られない場合があるためである。
【０００３】
同一の観察部位を異なる位置及び角度から検査した場合、同一の観察部位について複数の超音波ドプラ画像、すなわちPWD法によって取得された血流速度の時間的変化をグラフ化した画像が動画像として取得される。このため、血流速度等の血流動態を把握するために、複数フレームの超音波ドプラ画像から最適な画像が選択される。
【０００４】
更に、同一の被検体の複数の部位に対してドプラ検査が行われる場合もある。その場合には、各観察部位についてそれぞれ異なる位置及び角度から複数の超音波ドプラ画像が収集される。このため、超音波形態画像として別途収集されたＢモード画像或いはドプラ検査において各超音波ドプラ画像に記録されたボディマークやアノテーション等を参照することによって各超音波ドプラ画像がどの撮影部位に対応しているのかが判断される。
【先行技術文献】
【特許文献】
【０００５】
【特許文献１】特開２００８―１８３２４５号公報
【特許文献２】特開２０１１−０６７２４２号公報
【発明の概要】
【発明が解決しようとする課題】
【０００６】
本発明は、ドプラ検査によって取得される超音波ドプラ画像をユーザに分かり易く表示させることが可能な超音波診断装置、医用画像処理装置及び医用画像処理プログラムを提供することを目的とする。
【課題を解決するための手段】
【０００７】
本発明の実施形態に係る超音波診断装置は、スキャン手段、検査位置取得手段、記憶手段及び画像分類手段を備える。スキャン手段は、互いに異なる空間上の複数の位置について超音波ドプラ信号を受信し、受信した前記超音波ドプラ信号に基づいて前記複数の位置に対応する複数フレームの超音波ドプラ画像データを生成する。検査位置取得手段は、前記複数の位置を位置情報として取得する。記憶手段は、前記複数フレームの超音波ドプラ画像データに前記位置情報を付帯させて記憶する。画像分類手段は、少なくとも前記記憶手段に記憶された前記位置情報に基づいて、前記複数フレームの超音波ドプラ画像データを複数のグループに分類するための情報を生成する。
また、本発明の実施形態に係る医用画像処理装置は、画像取得手段、検査位置取得手段、記憶手段及び画像分類手段を備える。画像取得手段は、互いに異なる空間上の複数の位置について同一の被検体から受信された超音波ドプラ信号に基づいて生成された前記複数の位置に対応する複数フレームの超音波ドプラ画像データを取得する。検査位置取得手段は、前記複数の位置を位置情報として取得する。記憶手段は、前記複数フレームの超音波ドプラ画像データに前記位置情報を付帯させて記憶する。画像分類手段は、少なくとも前記記憶手段に記憶された前記位置情報に基づいて、前記複数フレームの超音波ドプラ画像データを複数のグループに分類するための情報を生成する。
また、本発明の実施形態に係る医用画像処理プログラムは、コンピュータを、画像取得手段、検査位置取得手段、記憶手段及び画像分類手段として機能させる。画像取得手段は、互いに異なる空間上の複数の位置について同一の被検体から受信された超音波ドプラ信号に基づいて生成された前記複数の位置に対応する複数フレームの超音波ドプラ画像データを取得する。検査位置取得手段は、前記複数の位置を位置情報として取得する。記憶手段は、前記複数フレームの超音波ドプラ画像データに前記位置情報を付帯させて記憶する。画像分類手段は、少なくとも前記記憶手段に記憶された前記位置情報に基づいて、前記複数フレームの超音波ドプラ画像データを複数のグループに分類するための情報を生成する。
【図面の簡単な説明】
【０００８】
【図１】本発明の第１の実施形態に係る超音波診断装置の構成図。
【図２】図１に示す超音波診断装置の動作の一例を示すフローチャート。
【図３】複数フレームの超音波ドプラ画像データに走査位置情報としてROIマーカの空間位置を付帯させる方法を説明する模式図。
【図４】超音波ドプラ画像データをグループ分けするためのグループの作成アルゴリズムの一例を示すフローチャート。
【図５】最短距離法を用いたクラスタリング処理の流れを示すフローチャート。
【図６】図５に示す最短距離法によるROIマーカの3D座標の分類結果の一例を示す図。
【図７】図６に示す分類結果に従って超音波ドプラ画像を分類表示させた例を示す図。
【図８】k-means法を用いたクラスタリング処理の流れを示すフローチャート。
【図９】図８に示すk-means法によるROIマーカの3D座標の分類結果の一例を示す図。
【図１０】図９に示す分類結果に従って超音波ドプラ画像を分類表示させた例を示す図。
【図１１】血流の速度に基づいて超音波ドプラ画像を分類表示させた例を示す図。
【図１２】血流の最大流速順に超音波ドプラ画像を並べて表示させた例を示す図。
【図１３】図１に示す超音波診断装置及び医用画像処理装置によってグループ分け表示することが可能な超音波ドプラ画像の例を示す図。
【図１４】本発明の第２の実施形態に係る超音波診断装置及び医用画像処理装置の機能を説明する図。
【図１５】本発明の第３の実施形態に係る超音波診断装置及び医用画像処理装置の機能を説明する図。
【発明を実施するための形態】
【０００９】
本発明の実施形態に係る超音波診断装置、医用画像処理装置及び医用画像処理プログラムについて添付図面を参照して説明する。
【００１０】
（第１の実施形態）
図１は本発明の第１の実施形態に係る超音波診断装置の構成図である。
【００１１】
超音波診断装置１は、本体部２に超音波プローブ３、入力装置４及び表示装置５を接続して構成される。超音波プローブ３にはセンサ６が取付けられる。本体部２には、送受信部７及び医用画像処理装置８が内蔵される。医用画像処理装置８は、スキャン制御部９、画像データ生成部１０、プローブ位置特定部１１、検査位置付加部１２、画像データ記憶部１３、画像分類部１４及び表示処理部１５を有する。
【００１２】
超音波プローブ３には被検体に向けて超音波を送受信するための複数の超音波振動子が内蔵される。各超音波振動子は、電気信号として印加された送信信号を超音波信号に変換して被検体内部に送信する一方、被検体内部において生じた超音波反射波を受信し、電気信号としての受信信号に変換して出力する機能を有している。
【００１３】
センサ６は、少なくとも超音波プローブ３の位置を検出する機能を有する。尚、超音波プローブ３の位置及び向きを検出するセンサ６を超音波プローブ３に取付けてもよい。センサ６の具体例として、磁気センサが挙げられるが、必要な機能を有していれば任意のセンサを用いることができる。また、超音波プローブ３の位置及び向きを検出する代わりに、センサ６で超音波走査の対象となる走査断面の位置及び向きを検出しても構わない。
【００１４】
送受信部７は、超音波プローブ３に備えられる複数の超音波振動子にそれぞれ送信信号として駆動パルスを印加することによって超音波を送信させる機能と、超音波プローブ３に備えられる複数の超音波振動子からそれぞれ出力される受信信号を受信して整相加算等の必要な信号処理を実行することによって走査位置ごとの超音波受信信号として高周波(RF: radio frequency)信号を生成する機能を有する。
【００１５】
スキャン制御部９は、スキャン条件に従って送受信部７に制御信号を出力することによって超音波スキャンを実行させるための制御システムである。超音波スキャンとしては、被検体の超音波形態画像データであるＢモード画像データを収集するＢモードスキャン及び被検体の血流動態情報を表す超音波ドプラ画像データを収集する超音波ドプラスキャンが挙げられる。
【００１６】
超音波ドプラスキャンには、PWD法により超音波ドプラ信号を収集するPWDスキャン、カラードプラ法により超音波ドプラ信号を収集するカラードプラスキャン及び連続波ドプラ(CWD: continuous wave Doppler)法により超音波ドプラ信号を収集するCWDスキャン等がある。カラードプラ法は、CFM (Color Flow Mapping)法とも呼ばれる。
【００１７】
PWDスキャンは、特定の走査点に超音波パルスを断続的に送信し、走査点からパルス波として超音波ドプラ信号を収集するスキャンである。このため、PWDスキャンによれば、指定された走査位置における血流速度、パワー、分散等の血流動態を表す超音波ドプラ画像データを収集することができる。
【００１８】
CFMスキャンは、２次元(2D: two dimensional)又は３次元(3D: three dimensional)の走査領域における複数の走査点に対して超音波パルスを断続的に順次送信し、複数の走査点を含む走査領域からのパルス波として超音波ドプラ信号を収集するスキャンである。このため、CFMスキャンによれば、走査領域における血流速度等の血流動態を表す値に応じたカラーでマッピングしたカラードプラ画像データを収集することができる。
【００１９】
また、CWDスキャンは、特定の走査方向に超音波を連続的に送信し、走査線からの連続波として超音波ドプラ信号を収集するスキャンである。
【００２０】
これらの超音波ドプラスキャンの対象となる走査位置や走査領域は、Ｂモードスキャンによって収集されたＢモード画像をガイドとして設定することができる。具体的には、例えばPWDスキャンであれば、Ｂモード画像上にPWDスキャンの走査ターゲットとなる関心領域(ROI: region of interest)マーカを設定することで、PWDスキャンの走査位置を設定することができる。また、特定の点に対して走査を行って血流動態を検出するPWDスキャンの場合には点状の位置を指定するROIマーカが、走査線上の血流動態を検出するCWDスキャンの場合には走査線に沿った直線状のROIマーカが、2D領域内の血流動態を検出するCFMスキャンの場合には例えば四角形領域などの領域を指定するROIマーカが、それぞれＢモード画像上に重畳して設定される。尚、ガイドとなるＢモード画像は2D画像に限らず3D画像でも良い。
【００２１】
画像データ生成部１０は、送受信部７において生成される超音波受信信号に基づいて超音波画像データを生成する機能を有する、具体的には、Ｂモードスキャンによって超音波信号が収集された場合には、超音波受信信号に対するＢモード処理によってＢモード画像データが生成される。一方、超音波プローブ３で超音波ドプラ信号が受信された場合には、超音波ドプラ信号に対するドプラ処理によって超音波ドプラ画像データが生成される。画像データ生成部１０において生成された超音波画像データは、画像データ記憶部１３に保存することができる。
【００２２】
プローブ位置特定部１１は、センサ６から出力される超音波プローブ３の位置検出信号を受信することによって超音波プローブ３の空間位置を特定する機能を有する。具体的には、プローブ位置特定部１１は、超音波プローブ３の３次元(3D: three dimensional)座標を取得する機能を有している。尚、センサ６から超音波プローブ３の向きの検出信号も出力される場合には、超音波プローブ３の位置及び向きを表すベクトル情報がプローブ位置特定部１１において取得される。
【００２３】
検査位置付加部１２は、プローブ位置特定部１１において特定された超音波プローブ３の空間位置と撮影条件及びスキャン条件として設定されたROIマーカのＢモード画像上の位置とに基づいて幾何学的にROIマーカの空間位置を求める機能と、ROIマーカの空間位置を対応する超音波ドプラ画像データに付帯情報として付帯させる機能を有する。尚、プローブ位置特定部１１において超音波プローブ３の位置及び向きを表すベクトル情報が取得された場合には、ROIマーカの空間位置及び向きを求めてベクトル情報として対応する超音波ドプラ画像データに付帯させるようにしてもよい。
【００２４】
或いは、ROIマーカの空間位置や向きに代えて、超音波プローブ３の空間位置、超音波プローブ３の空間位置及び向き、走査位置の空間位置、走査位置の空間位置及び向き等のROIマーカの空間位置又はROIマーカの空間位置及び向きを求めるための情報を、対応する超音波ドプラ画像データに付帯情報として付帯させるようにしてもよい。
【００２５】
ROIマーカの空間位置は、センサ６によって検出された超音波プローブ３の振動子面の空間位置を、超音波プローブ３の振動子面とROIマーカ間における距離として設定された、ROIマーカのＢモード画像上における位置に対応する距離だけオフセットさせることにより計算することができる。
【００２６】
画像分類部１４は、互いに位置が異なる複数のROIマーカをＢモード画像上に設定して複数フレームの超音波ドプラ画像データが撮影された場合において、少なくともROIマーカの空間上の位置に基づいて複数フレームの超音波ドプラ画像データを複数のグループに分類するための情報を生成する機能を有する。超音波ドプラ画像データを分類するためのROIマーカの空間上の位置は、検査位置付加部１２によって付加された超音波ドプラ画像データの付帯情報を参照することによって取得することができる。
【００２７】
尚、ROIマーカの空間上の位置を求めるための情報が超音波ドプラ画像データの付帯情報となっている場合には、画像分類部１４において分類情報の生成に先だって付帯情報に基づいてROIマーカの空間上の位置を幾何学的に求めることができる。その場合には、ROIマーカの画像上の位置がROIマーカの空間上の位置の計算のために参照される。
【００２８】
また、ROIマーカの向きも付帯情報として超音波ドプラ画像データに付帯している場合には、ROIマーカの位置情報に加えてROIマーカの向きに基づいて複数フレームの超音波ドプラ画像データを複数のグループに分類するための情報を生成することができる。つまり、超音波プローブ３の向きがセンサ６によって検出されている場合には、超音波プローブ３の向きに基づいてスキャン対象として求められるROIマーカの位置情報に基づいて複数フレームの超音波ドプラ画像データを複数のグループに分類するための情報を生成することができる。
【００２９】
画像分類部１４において生成された、複数フレームの超音波ドプラ画像データを複数のグループに分類するための分類情報は、複数フレームの超音波ドプラ画像データを並列表示させる場合に用いることができる。すなわち、複数フレームの超音波ドプラ画像データを複数のグループに分類するための情報を用いることによって、複数フレームの超音波ドプラ画像データを複数のグループに分類して並列表示させることが可能となる。
【００３０】
尚、画像分類部１４では、複数フレームの超音波ドプラ画像データを分類するためのグループの数を指定することもできる。その場合には、画像分類部１４において、複数フレームの超音波ドプラ画像データを、指定された数のグループに分類するための情報が生成される。
【００３１】
更に、画像分類部１４は、複数フレームの超音波ドプラ画像データを複数のグループに分類して並列表示させる場合において、超音波ドプラ画像データの表示順序を設定する機能を有する。超音波ドプラ画像データの表示順序は、複数フレームの超音波ドプラ画像データに関連する任意のパラメータに基づいて自動設定することができる。すなわち、画像分類部１４は、複数フレームの超音波ドプラ画像データに関連するパラメータに基づいて、複数フレームの超音波ドプラ画像データの少なくとも一部を、複数のグループのうちの少なくとも１つのグループ内において並べるための情報を生成する機能を有している。具体例として、血液の最大流速値や最大分散値等のパラメータの値順に複数フレームの超音波ドプラ画像データを並べることができる。
【００３２】
超音波ドプラ画像データに関連するパラメータは、超音波ドプラ画像データの並列表示のための表示順序に限らず、超音波ドプラ画像データのグループ分けにも用いることができる。すなわち、超音波ドプラ信号の受信対象となる位置情報として超音波ドプラ画像データに付帯するROIマーカの空間位置に加えて複数フレームの超音波ドプラ画像データに関連するパラメータに基づいて、複数フレームの超音波ドプラ画像データを複数のグループに分類するための情報を生成することができる。
【００３３】
超音波ドプラ画像データに関連するパラメータの具体例としては、複数フレームの超音波ドプラ画像データに対応する各血流の速度、複数フレームの超音波ドプラ画像データに対応する超音波ドプラ信号の各サンプリング時刻及び複数フレームの超音波ドプラ画像データに対応する各波形の特徴を表す指標値等が挙げられる。従って、血流の速度、超音波ドプラ信号のサンプリング時刻及び超音波ドプラ画像データに対応する各波形の特徴を表す指標値の少なくとも１つを用いて超音波ドプラ画像データを少なくとも１つのグループ内において並べるための情報を生成することができる。また、血流の速度、超音波ドプラ信号のサンプリング時刻及び超音波ドプラ画像データに対応する各波形の特徴を表す指標値の少なくとも１つを用いて複数フレームの超音波ドプラ画像データを複数のグループに分類するための情報を生成することができる。
【００３４】
血流の速度としては、血流の最大流速や平均流速など、流速の代表値をパラメータとして用いることができる。また、超音波ドプラ画像データに対応する波形の特徴を表す指標値の具体例としては、波形の最大値と最小値の比、パルス間隔、同期撮影の場合におけるトリガからのディレイタイムなどが挙げられる。同期撮影用の同期信号としては、心電(ECG: electrocardiogram)信号、脈波(PPG: photoplethysmographic)信号、心音信号或いは呼吸信号等の周期性を有する生体信号が挙げられる。
【００３５】
特に、ROIマーカの向きも付帯情報として超音波ドプラ画像データに付帯している場合には、ROIマーカの向きに基づいて血流の向きを求めることができる。このため、血流の向きに基づいて複数フレームの超音波ドプラ画像データを複数のグループに分類するための情報を生成することもできる。
【００３６】
表示処理部１５は、画像データ生成部１０又は画像データ記憶部１３から取得したＢモード画像データ及び超音波ドプラ画像データに必要な表示処理を施して表示装置５に表示させる機能を有する。表示処理としては、画質を決定するためのフィルタ処理、走査線フォーマットの画像信号をビデオフォーマットの画像信号に変換するスキャンコンバート、カラードプラ画像データとＢモード画像データの合成処理等が挙げられる。
【００３７】
また、複数フレームの超音波ドプラ画像データを表示装置５に並列表示させる場合には、表示処理部１５において複数フレームの超音波ドプラ画像データの表示位置を決定するための表示処理が実行される。すなわち、画像分類部１４において生成された複数フレームの超音波ドプラ画像データを複数のグループに分類するための分類情報及び超音波ドプラ画像データをグループ内において並べるための情報に従って複数フレームの超音波ドプラ画像データの表示位置が決定される。
【００３８】
以上のように、超音波プローブ３、送受信部７、スキャン制御部９及び画像データ生成部１０等の構成要素が協働することによって、超音波診断装置１には、Ｂモード画像データ及び超音波ドプラ画像データ等の超音波画像データを収集するスキャン手段としての機能が備えられる。特に、超音波診断装置１には、互いに異なる空間上の複数の位置について超音波ドプラ信号を受信し、受信した超音波ドプラ信号に基づいて複数の位置に対応する複数フレームの超音波ドプラ画像データを生成するスキャン手段としての機能が備えられる。
【００３９】
また、超音波診断装置１には、超音波ドプラ信号の受信対象となる複数の位置を位置情報として取得する検査位置取得手段としての機能、複数フレームの超音波ドプラ画像データに位置情報を付帯させて記憶する記憶手段としての機能並びに少なくとも記憶部に記憶された位置情報に基づいて、複数フレームの超音波ドプラ画像データを複数のグループに分類するための情報を生成する画像分類手段としての機能が備えられる。検査位置取得手段としての機能は、センサ６、プローブ位置特定部１１及び検査位置付加部１２の協働によって実現することができる。記憶手段としての機能は、画像データ記憶部１３によって実現することができる。また、画像分類手段としての機能は、画像分類部１４によって実現することができる。
【００４０】
但し、同様な機能を有するスキャン手段、検査位置取得手段、記憶手段及び画像分類手段としての機能が備えられれば、他の構成要素によって超音波診断装置１を構成することができる。例えば、センサ６については、超音波診断装置１の構成要素とせずに、汎用品を接続するようにしてもよい。
【００４１】
尚、医用画像処理装置８と同様な機能を有する独立した医用画像処理装置を、ネットワークを介して超音波診断装置１と接続するようにしてもよい。医用画像処理装置を超音波診断装置１と接続する場合には、互いに異なる空間上の複数の位置について同一の被検体から受信された超音波ドプラ信号に基づいて生成された複数の位置に対応する複数フレームの超音波ドプラ画像データを取得する画像取得手段としての機能が医用画像処理装置に備えられる。また、センサ６を構成要素とせずに、センサ６からの出力信号を取得して超音波プローブ３の空間位置を特定するプローブ位置特定部及び超音波プローブ３の空間位置とROIマーカの画像上の位置とからROIマーカの空間位置を求める検査位置付加部によって検査位置取得手段としての機能を医用画像処理装置に設けることができる。
【００４２】
超音波診断装置１に内蔵される医用画像処理装置８及び超音波診断装置１と外部接続される医用画像処理装置は、コンピュータに医用画像処理プログラムを読み込ませることによって構築することができる。但し、超音波診断装置１に内蔵される医用画像処理装置８及び超音波診断装置１と外部接続される医用画像処理装置を構成するために回路を用いてもよい。コンピュータを、画像取得手段、検査位置取得手段、記憶手段及び画像分類手段として機能させる医用画像処理プログラムは、プログラムプロダクトとして流通させることもできる。
【００４３】
次に超音波診断装置１及び医用画像処理装置８の動作及び作用について説明する。
【００４４】
図２は、図１に示す超音波診断装置１の動作の一例を示すフローチャートである。
【００４５】
まずステップＳ１において、被検体のＢモードスキャンが実行される。具体的には、スキャン制御部９による制御下において送受信部７から超音波プローブ３に備えられる複数の超音波振動子に送信信号として所定の遅延時間を伴った駆動パルスが順次印加される。これにより、超音波プローブ３から被検体内部の走査領域に向けて超音波ビームが順次送信される。
【００４６】
そして、被検体内の各走査位置において送信超音波が反射することによって生じた超音波反射波が各超音波振動子により順次受信される。受信された超音波反射波は各超音波振動子により電気信号の受信信号に変換される。続いて送受信部７では、各超音波振動子から出力される超音波受信信号に対する整相加算処理等の必要な信号処理が実行される。この結果、各走査位置に対応する超音波受信信号が生成される。生成された超音波受信信号は順次画像データ生成部１０に出力される。
【００４７】
画像データ生成部１０では、超音波受信信号に対するＢモード処理が実行される。この結果、被検体の形態が描出されたＢモード画像データが生成される。生成されたＢモード画像データは、表示処理部１５に出力される。そして、表示処理部１５において必要な表示処理が施されたＢモード画像データが表示装置５に出力される。これにより、表示装置５には、Ｂモード画像として被検体の形態が描出される。
【００４８】
そうすると、ステップＳ２において、ユーザは、Ｂモード画像をガイドとしてROIマーカの位置を含む超音波ドプラスキャン用の撮影条件及びスキャン条件を設定することができる。超音波ドプラスキャン用の撮影条件及びスキャン条件が設定されると、ROIマーカの空間位置を走査位置とする超音波ドプラスキャンを開始することが可能となる。ここでは、パルスドプラ法による超音波ドプラスキャンが実行されるものとする。
【００４９】
このため、ステップＳ３において、パルスドプラ法による超音波ドプラスキャンが実行される。この時、センサ６によって超音波プローブ３の3D位置が検出される。パルスドプラ法による観察では、観察位置及び観察方向によって検査結果が変化する。このため、超音波プローブ３の位置を変更し、同一の観察位置に対して異なる位置及び方向から超音波ドプラスキャンを実行することができる。
【００５０】
更に、複数の観察箇所が存在する場合には、観察箇所ごとに１回又は複数回超音波ドプラスキャンが実行される。従って、超音波プローブ３の位置を変更させて超音波ドプラスキャンが実行される度に、超音波プローブ３の3D位置がセンサ６によって検出される。逆に、超音波プローブ３の3D位置が同一とみなせる場合であっても、異なるROIマーカを対象として超音波ドプラスキャンが複数回実行される場合もある。その場合には、超音波ドプラスキャンが実行される度に、ROIマーカに対応する超音波プローブ３の3D位置がセンサ６によって検出される。
【００５１】
パルスドプラ法による超音波ドプラスキャンの場合には、超音波プローブ３から走査点に向けて断続的にパルス波として超音波が送信される。そして、超音波プローブ３により、走査点からパルス波として超音波ドプラ信号が受信される。そして、超音波ドプラ信号に対する送受信部７における信号処理及び画像データ生成部１０におけるドプラ処理によって走査点における血流速度を波形として表す動画データが超音波ドプラ画像データとして生成される。
【００５２】
生成された超音波ドプラ画像データは、表示処理部１５における表示処理を経て表示装置５にリアルタイム表示させることができる。また、超音波ドプラ画像データは、同一の観察部位に対して異なる位置及び向きで撮影される場合がある。逆に、同一の位置から異なる位置の撮影が行われる場合もある。このため、撮影された超音波ドプラ画像データが順次画像データ記憶部１３に保存される。
【００５３】
一方、ステップＳ４において、プローブ位置特定部１１は、センサ６から出力される超音波プローブ３の位置検出信号を受信することによって超音波ドプラ信号の空間的なサンプリングポジションとして超音波プローブ３の3D座標を特定する。
【００５４】
次に、ステップＳ５において、検査位置付加部１２は、超音波プローブ３の3D座標と、Ｂモード画像上におけるROIマーカの設定位置とから、ROIマーカの空間位置を求める。
【００５５】
次に、ステップＳ６において、検査位置付加部１２は、ROIマーカの空間位置を対応する超音波ドプラ画像データに付帯させる。この結果、画像データ記憶部１３に保存された各超音波ドプラ画像データには、ROIマーカの空間位置が付帯情報として付加される。
【００５６】
図３は、複数フレームの超音波ドプラ画像データに走査位置情報としてROIマーカの空間位置を付帯させる方法を説明する模式図である。
【００５７】
図３に示すようにＢモードスキャンによって撮影された3D Ｂモード画像データをガイドとして超音波ドプラスキャンの対象となる複数のROIマーカを設定することができる。そして、同一又は異なる位置に超音波プローブ３を配置し、Ｂモード画像に描出された血管の検査部位に超音波プローブ３を向けてROIマーカを対象とする超音波ドプラスキャンを順次実行することができる。また、複数の検査部位が存在する場合には、各検査部位について異なる複数のROIマーカを設定し、同一又は異なる位置に超音波プローブ３を配置して超音波ドプラスキャンを順次実行することもできる。
【００５８】
一方、超音波プローブ３に取付けられたセンサ６からの出力信号に基づいて超音波プローブ３の3D座標を求めることができる。図４に示す例では、x座標、y座標及びz座標によって超音波プローブ３の空間位置が特定されている。超音波プローブ３の3D座標が求められると、ROIマーカのＢモード画像上の3D座標と、超音波プローブ３の3D座標とからROIマーカの空間位置を表す3D座標が算出される。算出されたROIマーカの空間位置を表す3D座標は、対応する超音波ドプラ画像データに付帯情報として付帯させることができる。
【００５９】
そして、全ての検査部位の超音波ドプラスキャンが完了すると、画像データ記憶部１３に保存された超音波ドプラ画像データを閲覧することが可能となる。
【００６０】
その場合、ステップＳ７において、複数フレームの超音波ドプラ画像データが複数のグループに分類された状態で表示装置５に表示される。具体的には、画像分類部１４が超音波ドプラ画像データに付帯するROIマーカの空間位置情報に基づいて、超音波ドプラ画像データをグループ分けするための複数のグループを作成する。また、画像分類部１４は、各超音波ドプラ画像データがどのグループに属するかを表す情報を作成する。そして、表示処理部１５は、画像分類部１４により作成された複数のグループに分類された状態で複数フレームの超音波ドプラ画像データを表示装置５に出力させる。
【００６１】
超音波ドプラ画像データをグループ分けするためのグループは、画像分類部１４においてROIマーカの空間位置を表す3D座標に基づいて自動的又は必要な指示情報の入力を伴って作成することができる。
【００６２】
図４は超音波ドプラ画像データをグループ分けするためのグループの作成アルゴリズムの一例を示すフローチャートである。
【００６３】
超音波ドプラ画像データをグループ分けするためのグループの数は、指定することができる。特に、超音波ドプラ検査では、検査箇所の数がユーザにより把握されている場合がある。また、検査前に検査箇所が決定されている場合もある。そこで、グループの数を、検査箇所の数に指定することができる。
【００６４】
このため、ステップＳ１０において、画像分類部１４は、グループの数が指定されているか否かを判定する。グループの数が指定されていない場合には、ステップＳ１１においてクラスタ数を未知とする任意のクラスタリング手法を用いて超音波ドプラ画像データの分類情報が作成される。一方、グループの数が指定されている場合には、ステップＳ１２において、クラスタ数を既知とする任意のクラスタリング手法を用いて超音波ドプラ画像データの分類情報が作成される。
【００６５】
まず、クラスタ数を未知として超音波プローブ３の3D座標をクラスタリングすることによって超音波ドプラ画像データの分類情報を作成する例について説明する。
【００６６】
図５は最短距離法を用いたクラスタリング処理の流れを示すフローチャートである。
【００６７】
階層的手法の一例である最短距離法に基づくアルゴリズムによって、図５に示すようにクラスタ数を未知とするROIマーカの3D座標のクラスタリングを行うことができる。
【００６８】
具体的には、まずステップＳ２０において、いずれのクラスタにも所属していない任意の１つのROIマーカの3D座標が基準位置として選択される。次に、ステップＳ２１において、基準位置として選択されたROIマーカの3D座標から、いずれのクラスタにも所属していない他のROIマーカの各3D座標までの3D距離が順次計算される。次に、ステップＳ２２において、計算された3D距離の最小値が閾値を超えているか否かが判定される。
【００６９】
そして、計算された3D距離の最小値が閾値を超えていないと判定された場合には、ステップＳ２３において、いずれのクラスタにも所属していない他のROIマーカの各3D座標のうち、基準位置として選択されたROIマーカの3D座標からの3D距離が最小となる3D座標が、基準位置として選択されたROIマーカの3D座標と同一のクラスタに分類される。
【００７０】
そして、計算された3D距離の最小値が閾値を超えたと判定されるまで、いずれのクラスタにも所属していない他のROIマーカの3D座標が基準位置として選択されたROIマーカの3D座標と同一のクラスタに分類される。
【００７１】
尚、ステップＳ２２における２回目以降の判定は、基準位置として選択されたROIマーカの3D座標のみならず、基準位置として選択されたROIマーカの3D座標と同一のクラスタに分類された全てのROIマーカの3D座標からいずれのクラスタにも所属していない他のROIマーカの各3D座標までの3D距離に対する閾値処理としてもよい。その場合には、ステップＳ２２における閾値処理に必要なデータ間の距離が計算される。
【００７２】
ステップＳ２２において、3D距離の最小値が閾値を超えたと判定されると、ステップＳ２４において、いずれのクラスタにも所属していないROIマーカの3D座標が存在するか否かが判定される。
【００７３】
ステップＳ２４において、いずれのクラスタにも所属していないROIマーカの3D座標が存在すると判定された場合には、再びステップＳ２０において、いずれのクラスタにも所属していない任意の１つのROIマーカの3D座標が新たな基準位置として選択される。そして、ステップＳ２１からステップＳ２３までの処理によって基準位置として新たに選択されたROIマーカの3D座標を含むクラスタが同様に形成される。
【００７４】
一方、ステップＳ２４において、いずれのクラスタにも所属していないROIマーカの3D座標が存在しないと判定された場合には、クラスタリング処理が完了する。
【００７５】
このようなクラスタリング処理によって、間隔が相互に所定の距離以下となるROIマーカの3D座標で構成されるクラスタを作成することができる。そして、ROIマーカの3D座標のクラスタに対応する超音波ドプラ画像データのグループを定義することができる。更に、クラスタへのROIマーカの3D座標の所属情報に対応する情報として、各超音波ドプラ画像データがどのグループに属するかを表す情報を作成することができる。
【００７６】
尚、ROIマーカの3D座標間の距離に対する閾値は、経験的に2cm等の固定値としても良いし、検査部位に応じて変更できるようにしてもよい。閾値を変更できるようにする場合には、ユーザが任意の値として閾値を設定できるようにしても良いし、検査部位に関連付けた閾値のプリセット値をユーザが選択できるようにしてもよい。
【００７７】
もちろん、他の公知のクラスタリング手法を用いることもできる。また、複数のクラスタリング手法を併用するようにしてもよい。その場合には、複数のクラスタリング手法から所望の単一又は複数のクラスタリング手法をユーザが選択できるようにしてもよい。更に、異なるクラスタリング手法を適用して分類された結果をそれぞれ候補として提示し、ユーザがクラスタリングの結果を参照してクラスタリング手法を選択できるようにしてもよい。
【００７８】
図６は図５に示す最短距離法によるROIマーカの3D座標の分類結果の一例を示す図である。
【００７９】
図６に例示されるようにx座標、y座標及びz座標で特定される複数のROIマーカの3D座標を対象として、座標間の距離が閾値以下となるようにクラスタリングを行うことができる。図６に示す例では、５つの点が、２つの点で構成されるクラスタＡと、３つの点で構成されるクラスタＢとに分類されている。
【００８０】
図７は図６に示す分類結果に従って超音波ドプラ画像を分類表示させた例を示す図である。
【００８１】
図６に示すROIマーカの3D座標のクラスタリング結果に従って複数の超音波ドプラ画像を分類表示させると図７に示すようになる。すなわち、クラスタＡに含まれる3D座標にROIマーカを設定して撮影された超音波ドプラ画像はグループＡに分類される。一方、クラスタＢに含まれる3D座標にROIマーカを設定して撮影された超音波ドプラ画像はグループＢに分類される。
【００８２】
このため、ユーザは、各超音波ドプラ画像がどの検査部位に対応しているのかを容易に把握することができる。図７に示す例では、血流速度の波形をグラフとして表す超音波ドプラ画像とともに血管の形態が描出されたＢモード像上に血流速度がカラー表示されたカラードプラ像が並列表示されている。更に、Ｂモード像上には、血流速度の波形の測定位置が表示されている。このため、ユーザは、診断に有用な超音波ドプラ画像を容易に選択することが可能となる。
【００８３】
次に、クラスタ数を既知としてROIマーカの3D座標をクラスタリングすることによって超音波ドプラ画像データの分類情報を作成する例について説明する。ここでは、クラスタ数を既知とするクラスタリング手法としてk-means法を用いる例について説明する。
【００８４】
図８はk-means法を用いたクラスタリング処理の流れを示すフローチャートである。
【００８５】
まず、ステップＳ３０において、ROIマーカの各3D座標に、指定された数のクラスタがランダムに割当てられる。次に、ステップＳ３１において、各クラスタの重心が順次計算される。次に、ステップＳ３２において、ROIマーカの各3D座標と、クラスタの各重心との間における距離が順次計算される。次に、ステップＳ３３において、ROIマーカの各3D座標が、それぞれ重心までの距離が最小となるクラスタに割当てられる。次に、ステップＳ３４において、ROIマーカの各3D座標のクラスタへの割当に変化があったか否かが判定される。
【００８６】
ステップＳ３４において、ROIマーカの各3D座標のクラスタへの割当に変化があったと判定された場合には、再びステップＳ３１において、各クラスタの重心が順次計算される。そして、ステップＳ３４において、ROIマーカの各3D座標のクラスタへの割当に変化がなかったと判定されるまで、ステップＳ３１からステップＳ３３までの処理が繰返される。そして、ステップＳ３４において、ROIマーカの各3D座標のクラスタへの割当に変化がなかったと判定されるとクラスタリング処理が終了する。
【００８７】
図９は図８に示すk-means法によるROIマーカの3D座標の分類結果の一例を示す図である。
【００８８】
図９に例示されるようにx座標、y座標及びz座標で特定される複数のROIマーカの3D座標を対象として、k-means法によるクラスタリングを行うと、図９に示すように複数のROIマーカの3D座標を指定された数のクラスタに分類することができる。図９は、クラスタの数を３にした場合のクラスタリング結果を示している。このため、５つの点が、２つの点で構成されるクラスタＡ、２つの点で構成されるクラスタＢ及び１つの点で構成されるクラスタＣに分類されている。
【００８９】
図１０は図９に示す分類結果に従って超音波ドプラ画像を分類表示させた例を示す図である。
【００９０】
図９に示すROIマーカの3D座標のクラスタリング結果に従って複数の超音波ドプラ画像を分類表示させると図１０に示すようになる。すなわち、クラスタＡに含まれる3D座標にROIマーカを設定して撮影された超音波ドプラ画像はグループＡに、クラスタＢに含まれる3D座標にROIマーカを設定して撮影された超音波ドプラ画像はグループＢに、クラスタＣに含まれる3D座標にROIマーカを設定して撮影された超音波ドプラ画像はグループＣに、それぞれ分類される。
【００９１】
このため、検査箇所の数と一致するようににクラスタの数を指定することにより、複数の超音波ドプラ画像を検査箇所ごとに分類することができる。クラスタの数は、検査前に検査箇所の数として指定しても良いし、検査後の超音波ドプラ画像の閲覧時において指定するようにしてもよい。
【００９２】
また、一旦指定したクラスタの数を変更できるようにしてもよい。特に、クラスタ数を未知として図５に例示されるようなアルゴリズムに従ってROIマーカの3D座標のクラスタリングを行った後に、クラスタの数を指定して再度クラスタリングを行うこともできる。この場合、クラスタリング結果に追従して超音波ドプラ画像の分類表示を更新させることができる。このため、クラスタ数を未知としたクラスタリングの結果が所望の結果とならなかった場合などに有用である。
【００９３】
このようにして図４のステップＳ１１又はステップＳ１２における超音波ドプラ画像データの分類情報の作成を行うことができる。更に、複数のグループに分類された超音波ドプラ画像データを、グループ内において複数のサブグループに分類することもできる。サブグループへの超音波ドプラ画像データの分類は、超音波ドプラ画像データに関連する所望のパラメータに基づいて行うことができる。
【００９４】
そこで、図４に示すフローチャートのステップＳ１３において、超音波ドプラ画像データをサブグループに分類するためのパラメータが指定されているか否かが画像分類部１４により判定される。そして、超音波ドプラ画像データをサブグループに分類するためのパラメータが指定されていると判定された場合には、ステップＳ１４において超音波ドプラ画像データをサブグループに分類するための分類情報が指定されたパラメータに基づいて作成される。
【００９５】
パラメータに基づく超音波ドプラ画像データのサブグループの作成についても、パラメータの値を用いた任意のクラスタリングによって行うことができる。超音波ドプラ画像データをサブグループに分類するためのパラメータの実用的な例としては、血流の最大流速や平均流速等の速度が挙げられる。
【００９６】
例えば、血流の速度をパラメータとする場合には、速度の差分値を距離とみなす最短距離法によるクラスタリングによって超音波ドプラ画像データをサブグループに分類することができる。血流の流速に基づく最短距離法によるクラスタリングを行う場合には、速度の差に対して閾値が設定されることになる。この場合、閾値を固定値とせずに、速度値に対する所定の割合を閾値としてもよい。
【００９７】
別の例として、血流の速度をパラメータとする場合に、血流の速度が正の値を有するサブグループと血流の速度が負の値を有するサブグループとに超音波ドプラ画像データを分類することもできる。つまり、血流の速度の符号に基づいて、超音波ドプラ画像データを、血流の方向が互いに逆向きとなる２つのサブグループに分類することができる。
【００９８】
このように、血流の速度の向きや速度の差に基づいて超音波ドプラ画像データを複数のサブグループに分類することができる。尚、ROIマーカの3D座標に基づいてクラスタリングを行う際に、ROIマーカの3D座標に加えて血流の速度等の所望のパラメータも用いるようにしてもよい。すなわち、図４のステップＳ１４における分類のためのクラスタリングとステップＳ１１又はステップＳ１２におけるクラスタリングとを１回の処理として行うことができる。
【００９９】
図１１は血流の速度に基づいて超音波ドプラ画像を分類表示させた例を示す図である。
【０１００】
図１１(A)に示すようにROIマーカの3D座標に基づいて複数のグループに分類された超音波ドプラ画像を、図１１(B)に示すように血流の速度に基づいて各グループ内において更にサブグループに分類することができる。
【０１０１】
図１１(A)に示す例では、５フレームの超音波ドプラ画像がROIマーカの3D座標に基づいてＡ、Ｂ及びＣの３つのグループに分類されている。但し、グループＡに所属する２フレームの超音波ドプラ画像として示されている血流の最大流速の方向が互いに逆向きとなっている。このため、図１１(B)に示すようにグループＡに所属する２フレームの超音波ドプラ画像が、サブグループＡ１に所属する１フレームの超音波ドプラ画像と、サブグループＡ２に所属する１フレームの超音波ドプラ画像とに分類されている。
【０１０２】
一方、グループＢに所属する２フレームの超音波ドプラ画像として示されている血流の最大流速の方向は共に同じ向きとなっている。このため、図１１(B)に示すようにグループＢにはサブグループが作成されていない。また、グループＣに所属するのは１フレームの超音波ドプラ画像のみである。このため、図１１(B)に示すようにグループＣについてもサブグループが作成されていない。
【０１０３】
図１１に例示されるように血流の速度等のパラメータに基づいて超音波ドプラ画像を分類すれば、より適切なグループに超音波ドプラ画像を分類できる場合がある。例えば、ROIマーカを互いに近い位置に設定して２つの異なる血管を観察した場合において、ROIマーカの3D座標のみに基づいて超音波ドプラ画像を分類すると、異なる血管に対応する複数の超音波ドプラ画像が同じグループに分類されてしまう恐れがある。これに対して、血流の速度等の適切なパラメータを用いて超音波ドプラ画像を分類すれば、ROIマーカの3D座標を参照するのみでは区別が困難な超音波ドプラ画像の分類が可能となる。
【０１０４】
血流の速度等のパラメータは、グループ及びサブグループに分類された複数の超音波ドプラ画像の表示順序の設定にも用いることができる。すなわち、超音波ドプラ画像データに関連する所望のパラメータに基づいて、並列表示の対象となる複数フレームの超音波ドプラ画像の並べ替えを行うことができる。
【０１０５】
そこで、図４のステップＳ１５において、超音波ドプラ画像データの表示順序の並べ替えを行うためのパラメータが指定されているか否かが画像分類部１４により判定される。そして、超音波ドプラ画像データの表示順序の並べ替えを行うためのパラメータが指定されていると判定された場合には、ステップＳ１６において、指定されたパラメータに基づく超音波ドプラ画像データの表示順序の並べ替え処理が画像分類部１４により実行される。すなわち、各グループ内において撮影時刻順等の初期の表示順序となっている複数フレームの超音波ドプラ画像データが、指定されたパラメータ順に並べ替えられる。
【０１０６】
超音波ドプラ画像データの表示順序を設定するためのパラメータの実用的な例としても、血流の最大速度や平均速度が挙げられる。
【０１０７】
図１２は血流の最大流速順に超音波ドプラ画像を並べて表示させた例を示す図である。
【０１０８】
図１２(A)に示すようにＡ及びＢの２つのグループに分類された複数の超音波ドプラ画像を、図１２(B)に示すように、各グループ内において血流の最大流速順に並べ替えることができる。尚、図１２に示す例では、血流の流速値が、対応する超音波ドプラ画像の近傍に表示されている。
【０１０９】
具体的には、図１２(A)において、グループＡに所属する２フレームの超音波ドプラ画像として表示されている血流速度の最大値は45[cm/s]及び47[cm/s]であり、グループＡに所属する２フレームの超音波ドプラ画像は血流の最大流速順に表示されている。このため、グループＡに所属する２フレームの超音波ドプラ画像を血流の最大流速順に並べたとしても、図１２(B)に示すように、グループＡに所属する２フレームの超音波ドプラ画像の表示順序は変わらない。
【０１１０】
一方、図１２(A)において、グループＢに所属する３フレームの超音波ドプラ画像として表示されている血流速度の最大値はそれぞれ、47[cm/s]、40[cm/s]及び43[cm/s]であり、グループＢに所属する３フレームの超音波ドプラ画像は血流の最大流速順に表示されていない。このため、グループＢに所属する３フレームの超音波ドプラ画像は、図１２(B)に示すように血流の最大流速順に並べ替えられる。
【０１１１】
最大血流速度の絶対値が大きい超音波ドプラ画像ほど、適切な観察角度で撮影された超音波ドプラ画像であると考えることができる。このため、図１２に例示されるように、各グループ内において複数フレームの超音波ドプラ画像を最大血流速度の絶対値が大きい順に配列すれば、適切な撮影角度で撮影された超音波ドプラ画像を容易に選択することが可能となる。
【０１１２】
同様に、ユーザが診断目的に応じてプリセットした任意のパラメータ順に超音波ドプラ画像データを並べ替えることができる。これにより、複数の超音波ドプラ画像を適切な順序で並列表示することが可能となる。すなわち、適切な撮影角度で撮影された超音波ドプラ画像を容易に選択できるようにすることができる。
【０１１３】
このような画像分類部１４における超音波ドプラ画像データの分類処理及び表示順序の並べ替え処理が完了すると、画像分類部１４は、超音波ドプラ画像データの分類情報及び表示順序を表示処理部１５に通知する。
【０１１４】
そうすると、ステップＳ１７において、表示処理部１５における必要な表示処理によって、異なる位置及び角度で撮影された複数フレームの超音波ドプラ画像が、複数のグループに分類され、かつ各グループ内において適切な表示順序で配列された状態で表示装置５に表示される。すなわち、画像分類部１４における超音波ドプラ画像データの分類処理及び表示順序の並べ替え処理の結果に従って、表示処理部１５が複数フレームの超音波ドプラ画像を表示装置５に並列表示させる。
【０１１５】
表示装置５に表示される複数フレームの超音波ドプラ画像は、ROIマーカの3D座標及び血流の向き等の適切なパラメータに基づいてグループ分けされ、かつ最大血流速度等のパラメータ順に配列される。このため、ユーザは、被検体の検査部位ごとに適切な超音波ドプラ画像を容易に選択することができる。
【０１１６】
尚、超音波プローブ３の位置及び向きの双方を検出することが可能なセンサ６を用いる場合には、超音波プローブ３及びROIマーカの位置及び向きに基づいてROIマーカのグループ分け及び表示順序の並べ替えを行うことができる。この場合には、ROIマーカの向きに基づいて血流の方向を判定することができる。このため、超音波ドプラ画像として表示される血流の速度方向が逆でも、ROIマーカの向きも逆であれば、血液が同じ方向に流れていると判定することが可能となる。逆に、超音波ドプラ画像として表示される血流の速度方向が同一でも、ROIマーカの向きが逆であれば、血液が逆方向に流れていると判定することが可能となる。
【０１１７】
つまり以上のような超音波診断装置１は、超音波プローブ３に少なくとも位置を検出するセンサ６を取付け、パルスドプラ法により撮影された複数の超音波ドプラ画像を、超音波プローブ３の空間位置及びROIマーカの画像上の位置から求められるROIマーカの空間位置に基づいて分類表示できるようにしたものである。同様に、医用画像処理装置８は、少なくとも超音波プローブ３の位置を検出するセンサ６からの検出データに基づいて、パルスドプラ法により撮影された複数の超音波ドプラ画像を、ROIマーカの空間位置に基づいて分類表示できるようにしたものである。
【０１１８】
このため、超音波診断装置１及び医用画像処理装置８によれば、パルスドプラ法により動画として撮影された複数の超音波ドプラ画像を、検査箇所が同一であると判定されるグループに分けて分類表示させることができる。このため、ユーザは、複数の超音波ドプラ画像が同一の検査箇所に対応しているか否かを容易に確認し、適切な超音波ドプラ画像を容易に選択することが可能となる。
【０１１９】
例えば、複数の超音波ドプラ画像やＢモード画像を単にサムネイル画像として縮小し、複数のサムネイル画像を並列表示させることもできる。しかしながら、サムネイル画像がグループに分類されていなければ、各サムネイル画像を１フレームごとに拡大表示させ、検査箇所を特定するためにボディマークやアノテーションを確認するという煩雑な作業が必要となる。
【０１２０】
これに対して、超音波診断装置１及び医用画像処理装置８によれば、複数の超音波ドプラ画像を、検査箇所に対応する複数のグループに分類された状態で表示することができる。このため、複数の超音波ドプラ画像をサムネイル画像として並列表示させる場合であっても、各超音波ドプラ画像を拡大表示させることなく各超音波ドプラ画像が同一の検査箇所に対応しているのか否かを容易に把握することができる。これにより、ユーザによる画像の検索作業が軽減され、診断効率を向上させることができる。
【０１２１】
図１３は、図１に示す超音波診断装置１及び医用画像処理装置８によってグループ分け表示することが可能な超音波ドプラ画像の例を示す図である。
【０１２２】
図１３(A)に示すように、異なるＢモード画像Ｂ１、Ｂ２をガイドとして超音波ドプラ画像として撮影されたPWDモード画像PWD1、PWD2であっても、ROIマーカの位置間における距離が閾値で定められる範囲内であれば、同一の検査箇所に対応するPWDモード画像PWD1、PWD2として同一のグループに分類することができる。これは、図１３(B)に示すように、ガイドとして用いられるＢモード画像Ｂ１、Ｂ２が空間的に交差し、同一平面上にない場合においても同様である。
【０１２３】
逆に、図１３(C)に示すように、共通のＢモード画像Ｂ１をガイドとして２フレームのPWDモード画像PWD1、PWD2が撮影された場合であっても、ROIマーカの位置間における距離が閾値で定められる範囲外であれば、異なる検査箇所に対応するPWDモード画像PWD1、PWD2として別々のグループに分類することができる。
【０１２４】
従って、超音波ドプラ画像の分類は、Ｂモード画像の分類と独立して行うことができる。また、Ｂモード画像をグループ化する場合と異なり、超音波ドプラ画像のグループ化では、必ずしも走査位置が一致しないこととなる。
【０１２５】
また、超音波診断装置１及び医用画像処理装置８によれば、指定したパラメータによりグループ内における超音波ドプラ画像の分類を詳細化したり、超音波ドプラ画像の表示順序を決定することができる。このため、超音波ドプラ画像が時系列順に保存されていない場合や検査位置順に保存されていない場合であっても、容易に適切な超音波ドプラ画像を認識することが可能となる。
【０１２６】
（第２の実施形態）
図１４は本発明の第２の実施形態に係る超音波診断装置及び医用画像処理装置の機能を説明する図である。
【０１２７】
第２の実施形態における超音波診断装置及び医用画像処理装置では、分類及び並べ替えの対象となる複数フレームの超音波ドプラ画像データを、CFMスキャンによって撮影された超音波ドプラ画像データとした点が第１の実施形態における超音波診断装置１及び医用画像処理装置８と相違する。第２の実施形態における超音波診断装置及び医用画像処理装置の他の構成及び作用については第１の実施形態における超音波診断装置１及び医用画像処理装置８と実質的に異ならない。このため、分類及び並べ替えの対象となる超音波ドプラ画像データの生成方法についてのみ説明する。
【０１２８】
CFMスキャンでは、図１４に示すようにＢモード画像をガイドとして設定された複数の走査点を含む2D又は3Dの走査領域が走査対象となる。そして、複数の走査点を含む走査領域からのパルス波として超音波ドプラ信号が収集される。このため、入力装置４の操作等によってCFMスキャンにおける走査領域内において走査点を指定すれば、指定された走査点における血流速度等の血流動態を表す超音波ドプラ画像データを生成することができる。すなわち、CFMスキャンにおいて、マニュアルで位置を指定すると、指定された位置における血流速度、パワー、分散等の血流動態の時間変化を波形として表示させる表示モードを設定することができる。
【０１２９】
従って、超音波プローブ３及びROIマーカの少なくとも一方の位置を変えてCFMスキャンが繰返し実行される場合において、第１の実施形態と同様な超音波ドプラ画像データの分類及び並べ替えを行うことができる。すなわち、指定された走査点から超音波ドプラ信号を受信して超音波ドプラ画像データを生成するPWD法による撮影に限らず、CFM法による撮影においても、少なくとも超音波プローブ３の位置を検出するセンサ６からの検出データに基づいて、複数の超音波ドプラ画像の分類及び並び変えを行うことができる。また、所望のパラメータに基づく複数の超音波ドプラ画像の分類及び並び変えを行うこともできる。
【０１３０】
（第３の実施形態）
図１５は本発明の第３の実施形態に係る超音波診断装置及び医用画像処理装置の機能を説明する図である。
【０１３１】
第３の実施形態における超音波診断装置及び医用画像処理装置では、分類及び並べ替えの対象となる複数フレームの超音波ドプラ画像データを、CWDスキャンによって撮影された超音波ドプラ画像データとした点が第１の実施形態における超音波診断装置１及び医用画像処理装置８と相違する。第３の実施形態における超音波診断装置及び医用画像処理装置の他の構成及び作用については第１の実施形態における超音波診断装置１及び医用画像処理装置８と実質的に異ならない。このため、分類及び並べ替えの対象となる超音波ドプラ画像データの生成方法についてのみ説明する。
【０１３２】
CWDスキャンでは、図１５に示すようにＢモード画像をガイドとして設定された線状の狭い走査領域が走査対象となる。そして、血管を横切る走査線からの連続波として超音波ドプラ信号が収集される。このため、入力装置４の操作等によってCWDスキャンにおける走査領域内において走査点を指定すれば、指定された走査点における血流速度等の血流動態を表す超音波ドプラ画像データを生成することができる。すなわち、CWDスキャンにおいて、マニュアルで位置を指定すると、指定された位置における血流速度、パワー、分散等の血流動態の時間変化を波形として表示させる表示モードを設定することができる。
【０１３３】
従って、超音波プローブ３及びROIマーカの少なくとも一方の位置を変えてCWDスキャンが繰返し実行される場合において、第１の実施形態と同様な超音波ドプラ画像データの分類及び並べ替えを行うことができる。すなわち、PWD法による撮影に限らず、CWD法による撮影においても、少なくとも超音波プローブ３の位置を検出するセンサ６からの検出データに基づいて、複数の超音波ドプラ画像の分類及び並び変えを行うことができる。また、所望のパラメータに基づく複数の超音波ドプラ画像の分類及び並び変えを行うこともできる。
【０１３４】
（他の実施形態）
以上、特定の実施形態について記載したが、記載された実施形態は一例に過ぎず、発明の範囲を限定するものではない。ここに記載された新規な方法及び装置は、様々な他の様式で具現化することができる。また、ここに記載された方法及び装置の様式において、発明の要旨から逸脱しない範囲で、種々の省略、置換及び変更を行うことができる。添付された請求の範囲及びその均等物は、発明の範囲及び要旨に包含されているものとして、そのような種々の様式及び変形例を含んでいる。
【符号の説明】
【０１３５】
１  超音波診断装置
２  本体部
３  超音波プローブ
４  入力装置
５  表示装置
６  センサ
７  送受信部
８  医用画像処理装置
９  スキャン制御部
１０  画像データ生成部
１１  プローブ位置特定部
１２  検査位置付加部
１３  画像データ記憶部
１４  画像分類部
１５  表示処理部
【図１】
2015146938.tif 000003
【図２】
2015146938.tif 000004
【図３】
2015146938.tif 000005
【図４】
2015146938.tif 000006
【図５】
2015146938.tif 000007
【図６】
2015146938.tif 000008
【図７】
2015146938.tif 000009
【図８】
2015146938.tif 000010
【図９】
2015146938.tif 000011
【図１０】
2015146938.tif 000012
【図１１】
2015146938.tif 000013
【図１２】
2015146938.tif 000014
【図１３】
2015146938.tif 000015
【図１４】
2015146938.tif 000016
【図１５】
2015146938.tif 000017